(57)【要約】【課題】カードの磁気もしくは信号を基にカードの種類を判別し、磁気ヘッドを制御することを目的とする。【解決手段】カード１が磁気読み取り部６ａ、６ｂをある程度通過したとき、カード検知手段９は磁気情報を検知したかどうかを判断する。この時、カード１が磁気カードであるならば、続けて磁気読み取り部６ａ、６ｂによるカード１の情報の読み取りを行なう。カード１がＩＣカードであるならば、この情報が制御手段８に伝えられ、ここで磁気読み取り部移動手段７ａ、７ｂに通電し、磁気読み取り部６ａ、６ｂをカード通路４に対して離れる方向に移動し、この磁気読み取り部６ａ、６ｂがカード１に接触しないようにする。【選択図】図１
2005215938.tif 000002
【特許請求の範囲】
【請求項１】
カードリーダ本体と、前記カードリーダ本体に設けられたカード挿入部と、前記カードリーダ本体内部に設けられたカード通路と、前記カード通路近辺に備えられたカード情報読み取り部と、前記カード情報読み取り部を前記カード通路に対して接離するごとく移動するカード情報読み取り部移動手段と、前記カードリーダ本体に挿入されるカードの種類を検知するカード検知部とを備え、カードの種類に応じて前記カード情報読み取り部をカード通路に対して接離するごとく移動させることを特徴としたカードリーダ。
【請求項２】
カード情報読み取り部は、磁気カードの情報を読み取り、カード通路に突出した状態で位置し、カードの磁気を有する部分に接触することにより磁気を検知する接触型の検知部である請求項1記載のカードリーダ。
【請求項３】
カード検知部がカードの挿入を検知した後、カード情報読み取り部が磁気情報を読み取ってない場合には、カード情報読み取り部移動手段により前記カード情報読み取り部がカード通路に対して離れる方向に移動させるようにした請求項２記載のカードリーダ。
【請求項４】
カード情報読み取り部よりもカード挿入部側に設けられた検知部と、この検知部と前記カード情報読み取り部との間の位置に設けられたカード検知部とを備えた請求項３記載のカードリーダ。
【請求項５】
検知部が磁気を検知する請求項４記載のカードリーダ。
【請求項６】
検知部がＩＣの情報を検知する請求項４記載のカードリーダ。
【請求項７】
予め、挿入されるカードの種類を判定するため外部にカードの種類を入力する外部機器を設けた１〜６記載のカードリーダ。
【請求項８】
予め、挿入されるカードの種類を判定するためのカード種類入力部を設けた１〜６記載のカードリーダ。
【請求項９】
カード挿入口近傍にカードの挿入を規制するシャッター手段を備え、カード指定情報の入力がない場合には前記シャッター手段によりカードの挿入が不可能となる請求項７または８記載のカードリーダ。
【請求項１０】
カード検知部は、カードが前記カード検知部に接したことを検知する請求項１〜９記載のカードリーダ。
【発明の詳細な説明】
【技術分野】
【０００１】
本発明はカードリーダに関するものである。
【背景技術】
【０００２】
従来、磁気カードとＩＣカードを併用できるカードリーダは、磁気カードに書き込まれている情報を読み込むための磁気ヘッドと、ＩＣカードに書き込まれている情報を読み込むためのＩＣ接点を有し、それぞれのカードの情報を読み込んでいた。
【０００３】
しかし、このような構造では、カードリーダに通されたカードがＩＣカードの場合、カードが磁気ヘッドにより摩耗するという問題があった。
【０００４】
そこで、この問題を回避するために、カードの種類を検知し、磁気ヘッドを制御し、摩耗を防いでいた（例えば、特許文献１）。
【０００５】
図９、図１０(ａ)、(ｂ)により従来のカードリーダについて以下説明していく。
【０００６】
図９は、図１０(ａ)、(ｂ)に示す２種類のカード５０ａ、５０ｂを取扱う事を可能としたカードリーダライタであって、図１０(ａ)に示すカードは磁気ストライプ付きＩＣカード５０ａ、図１０(ｂ)に示すカードは磁気ストライプカード５０ｂである。
【０００７】
磁気ストライプカード５０ｂには、もちろん磁気ストライプＭ２が形成されるが、磁気ストライプ付きＩＣカード５０ａにも極めて短い長さの磁気ストライプＭ１が形成されている。
【０００８】
図９において、カード挿入口５１の近傍に、挿入されたカード５０ａ、５０ｂのそれぞれの磁気ストライプＭ１、Ｍ２の記録区間長Ｌ１、Ｌ２を検知する検知ヘッド５２が設けられている。
【０００９】
カード搬送系５３の途中部にはカード走行面５４を挟んで上部にカード情報記録再生用の磁気ヘッド５５が配置され、下部に押えローラ５６が配置される。
【００１０】
磁気ヘッド５５はソレノイド５７に連結されていて、カード走行面５４に近接して設けられ、カードが接触しない所まで移動することができる。その方向は、カード走行面５４と垂直方向でかつ走行面から遠ざかる方向である。
【００１１】
この移動は検知ヘッド５２が読み取った磁気ストライプＭ１，Ｍ２の記録区間長Ｌ１、Ｌ２の長さに応じて行なわれ、記録区間長がＬ１の場合、つまり挿入されたカードが磁気ストライプ付きＩＣカード５０ａであると識別された場合、磁気ヘッド５５は、カードが接触しない所まで移動し、磁気ストライプカード５０ｂであると識別された場合には磁気ヘッド５５は、カード走行面５４に近接する。
【特許文献１】特開平１-１１９８８７号公報
【発明の開示】
【発明が解決しようとする課題】
【００１２】
しかしながら、上記従来の構成では、検知ヘッドは読み取った磁気ストライプの記録区間長の長さに応じてカードの種類の識別を行なっていたので、ＩＣカードにも磁気ストライプを形成しなければならず、カードの種類判別を行なうためには、このような磁気ストライプを形成した特別なカードを用意しなければならないという課題を有していた。
【００１３】
本発明は、このような従来の課題を解決したもので、カードの磁気もしくは信号を基にカードの種類を判別し、磁気ヘッドを制御することを目的とした。
【課題を解決するための手段】
【００１４】
本発明は上記目的を達成するために、磁気読み取り部と、前記磁気読み取り部を前記カード通路に対して略垂直方向に移動する磁気読み取り部移動手段と、カードがカードリーダ内に挿入されたことを検知するカード検知部とを備えたものである。
【００１５】
この構造により、カードリーダに挿入されたカードの種類を判別することができ、磁気ヘッドを制御することができる。
【発明の効果】
【００１６】
本発明のカードリーダは、カードの種類を判別することができ、これにより磁気ヘッドを制御し、磁気ヘッドによるカードの摩耗を防ぐことができる。
【発明を実施するための最良の形態】
【００１７】
本発明の実施の形態は、カードリーダ本体と、前記カードリーダ本体に設けられたカード挿入部と、前記カードリーダ本体内部に設けられたカード通路と、前記カード通路近辺に備えられたカード情報読み取り部と、前記カード情報読み取り部を前記カード通路に対して略垂直方向に移動するカード情報読み取り部移動手段と、カードが前記カードリーダ本体に挿入されたことを検知するカード検知部とを備えたることで、カードの種類を判別でき、カード情報読み取り部によるカードの摩耗を防ぐことができる。
【００１８】
カード情報読み取り部は、磁気カードの情報を読み取り、カード通路に突出した状態で位置し、カードの磁気を有する部分に接触することにより磁気を検知する接触型の検知部であることで、磁気カードの情報を読み取ることができる。
【００１９】
また、カード検知部がカードの挿入を検知した後、カード情報読み取り部が磁気情報を読み取ってない場合には、カード情報読み取り部移動手段により前記カード情報読み取り部がカード通路に対して略垂直方向に移動されることで、カードの摩耗を防ぐことができる。
【００２０】
また、カード情報読み取り部よりもカード挿入部側に設けられた検知部と、この検知部と前記カード情報読み取り部との間の位置に設けられたカード検知部とを備えることで、カードの種類を逸早く検知でき、カードの摩耗をさらに防ぐことができる。
【００２１】
また、検知部が磁気又はＩＣの情報を検知することで挿入されるカードが磁気カードの場合、素早くカードを検知でき、カード情報読み取り部を制御することができる。
【００２２】
また、挿入されるカードの種類を判定するため外部にカードの種類を入力する外部機器を設けることで、予めカードの種類を判定することができ、確実にカードの摩耗を防ぐことができる。
【００２３】
また、挿入されるカードの種類を判定するためのカード種類入力部を設けることで予めカードの種類を判定することができ、確実にカードの摩耗を防ぐことができる。
【００２４】
またさらに、カード挿入口近傍にカードの挿入を規制するシャッター手段を備え、カード指定情報の入力がない場合には前記シャッター手段によりカードの挿入が不可能となることで、より確実にカードの摩耗を防ぐことができる。
【００２５】
そして、カード検知部は、カードが前記カード検知部に接したことを検知することで、カードが挿入されたか否かを知ることができ、カードの種類の判定がより正確に行なえる。
【実施例】
【００２６】
（実施例１)
図１において、カード１は、磁気カード又はＩＣカードである。
【００２７】
カードリーダ本体２（以下、本体２とする）には、カード１を本体２に挿入するための挿入部３が設けられ、この挿入部３から本体２内部に挿入されたカード１は、本体２内部に設けられたカード通路４を通る。
【００２８】
また、カード通路４近辺には、カード１がＩＣカードである場合、その情報を読み取るためのＩＣ接点５と、カード１が磁気カードである場合、その情報を読み取るためのカード情報読み取り部としての磁気読み取り部６ａ、６ｂが備えられている。この磁気読み取り部６ａ、６ｂは、カード通路４に突出した状態で設けられている。
【００２９】
さらに、この磁気読み取り部６ａ、６ｂには、カード通路４に対して略垂直方向に移動するカード情報読み部移動手段としての磁気読み取り部移動手段７ａ、７ｂが設けられている。
【００３０】
また、磁気読み取り部６ａ、６ｂの信号を得て、磁気読み取り部移動手段７ａ、７ｂを制御する制御手段８も設けている。
【００３１】
また、カード１が本体２内部に挿入され、カード通路４のある地点まで達したことを検知するカード検知手段９も設けてある。
【００３２】
以上のような構成をしたカードリーダの大まかな動作を図１、図５を用いて説明して行く。
【００３３】
まず、図５に示すように、カード１を本体２に挿入する（ステップ１）。カード１が磁気読み取り部６ａ、６ｂをある程度通過し、カード検知手段９によりカードが磁気読み取り部６ａ、６ｂを通過したことを検知された後（ステップ２）、磁気読み取り部６ａ、６ｂが磁気情報を検知したかどうかを判断する（ステップ３）。
【００３４】
この時、カード１が磁気カードであるならば（ステップ３でＹｅｓ）、続けて磁気読み取り部６ａ、６ｂによるカード１の情報の読み取りを行なう（ステップ４）。
【００３５】
また、カード１がＩＣカードであるならば（ステップ３でＮｏ）、この情報が制御手段８に伝えられ（ステップ５）、ここで磁気読み取り部移動手段７ａ、７ｂに通電される（ステップ６）。したがって、磁気読み取り部６ａ、６ｂは、カード通路４に対して略垂直方向に、かつ、カード通路４から遠ざかる方向に移動させられ（ステップ７）、磁気読み取り部６ａ、６ｂがカード１に接触しないようにする。
【００３６】
このようにして、カード１が磁気カードではない場合、磁気読み取り部６ａ、６ｂによるカードの摩耗を防ぐことができる。
【００３７】
次に、カードリーダを構成する各部について、詳述していく。
【００３８】
カードリーダの本体２に挿入されたカード１が磁気カードである場合、磁気読み取り部６ａ、６ｂによりカードの情報が読み取られるわけであるが、この磁気読み取り部６ａ、６ｂには、例えばＧＭＲ（Ｇｉａｎｔ  Ｍａｇｎｅｔｏ−Ｒｅｓｉｓｔａｎｃｅ）ヘッドが用いられる。ＭＲ（Ｍａｇｎｅｔｏ−Ｒｅｓｉｓｔａｎｃｅ）は磁気の影響を受けると電気抵抗が変化する性質のことである。
【００３９】
このＧＭＲヘッドの性質を利用すれば、カード表面の磁気の向きを電気抵抗の変化として検出することができる。つまり、あらかじめＧＭＲヘッドに電流を流しておけば、カード表面の磁気による電気抵抗の変化から、ＧＭＲヘッド間の電圧に変化が生じるので、カード上のデータを検出することができる。
【００４０】
制御手段８は、メモリ１０にアクセスすることで、情報の有無を判断し、これにより磁気読み取り部移動手段７ａ、７ｂの移動を制御する。
【００４１】
カード検知手段９は、接触型でカード１を直接検知する方法や、非接触型でカード１の情報（磁気等）によりカード１を検知する方法が考えられる。
【００４２】
磁気読み取り部６ａ、６ｂにより読み出されたデータは、メモリ１０に蓄えられる。
【００４３】
メモリ１０に情報が存在しないことが確認された場合、制御手段８は、上述したように、磁気読み取り部移動手段７ａ、７ｂに信号を送り、これにより磁気読み取り部６ａ、６ｂをカード通路４から遠ざかる方向に移動させ、この磁気読み取り部６ａ、６ｂがカード１に接触しないようにする。
【００４４】
これによりカード１が磁気カードではない場合、磁気読み取り部６ａ、６ｂによる摩耗を防ぐことができる。
【００４５】
また、カード検知手段９も接触型である場合、この制御手段８によって制御される。
【００４６】
なお、磁気読み取り部６ａ、６ｂは、カード通路４に突出しない位置に配置され、カード１が磁気カードである場合にカードに接触させる位置まで移動させ、カード情報を読み取る方法も考えられる。
【００４７】
なお、カードをある程度まで差し込んで、後は本体２内に設けたモータによりカードを内部に引き込む自動式のカードリーダに対しても本実施例のカードリーダの構成が適用でき、カードの摩耗を防ぐことができると考えられる。
【００４８】
（実施例２)
図２において、挿入部３と磁気読み取り部６ａ、６ｂとの間に、挿入部３に近い方から、検知部としての磁気検知部１１ａ、１１ｂ、カード検知手段９の順に配置している。
【００４９】
図６において、大まかな動作を述べると、カード１が挿入部３からカードリーダの本体２にある程度の所まで挿入され（ステップ１）、カード検知手段９がカード１の存在を検知すると（ステップ２）、磁気検知部１１ａ、１１ｂにより磁気が検知されたか否かを調べる（ステップ３）。ステップ３で磁気が検知された場合（Ｙｅｓ）は、それを、例えば電気信号等に変え、制御手段８に送る。この信号がある場合、制御手段８は、挿入されたカード１を磁気カードであると判断し、磁気読み取り部６ａ、６ｂをそのまま移動せず、磁気読み取り部６ａ、６ｂによりカード１の情報を読み取る（ステップ４）。
【００５０】
一方、磁気が検知されず、上記信号が制御手段８に送られない場合（ステップ３でＮｏ）、制御手段８はカード１をＩＣカード（磁気カードでない）と判断し、磁気読み取り部移動手段７ａ、７ｂに信号を送り（ステップ５）、これにより磁気読み取り部移動手段７ａ、７ｂに通電されて（ステップ６）、この磁気読み取り部６ａ、６ｂをカード通路４から遠ざかる方向に移動させ（ステップ７）、磁気読み取り部６ａ、６ｂがカード１に接触しないようにする。これによりカードの摩耗を防ぐことができる。
【００５１】
また、磁気検知部１１ａ、１１ｂが接触型である場合、制御手段８により制御される。
【００５２】
その他本実施例おける詳細は、実施例１に準ずる。
【００５３】
なお、上記磁気検知部１１ａ、１１ｂは、ＩＣの情報を読み取るＩＣ情報検知部である場合も考えられる。
【００５４】
（実施例３)
図３に示すものは外部にカード１の種類を入力する外部機器１２を設けたものである。
【００５５】
外部機器１２によりカード１が接触式ＩＣカードである場合、その信号（例えば、磁気カードの場合００１、接触式ＩＣカードの場合０１０、非接触式ＩＣカードの場合０１１等）がカードリーダ本体２内部に設けられているカード種類入力部１３に伝えられる。
【００５６】
その後、制御手段８にこの信号が伝えられ、磁気カードではないカード種類が入力された場合には、磁気読み取り部移動手段７ａ、７ｂにより磁気読み取り部６ａ、６ｂは、カード１に接しない位置まで移動させられ、挿入されたカード１が磁気カードではない場合の磁気読み取り部６ａ、６ｂによる摩耗を防ぐことができる。
【００５７】
さらに図７を用いて説明すると、外部機器１２によりカード１の種類を入力する（ステップ１）。ステップ２でカード１が磁気カードである場合（ステップ２でＹｅｓ）、続けて磁気読み取り部６ａ、６ｂによるカード１の情報の読み取りを行なう（ステップ３）。
【００５８】
また、カード１が非接触式のＩＣカードであるならば（ステップ２でＮｏ）、この情報が制御手段８に伝えられ（ステップ４）、ここで磁気読み取り部移動手段７ａ、７ｂに通電される（ステップ５）。したがって、磁気読み取り部６ａ、６ｂは、カード通路４に対して略垂直方向に、かつ、カード通路４から遠ざかる方向に移動させられ（ステップ６）、磁気読み取り部６ａ、６ｂがカード１に接触しないようにする。その他、本実施例における詳細の動作は上記実施例に準ずる。
【００５９】
なお、本実施例で外部に設置したカードの種類を判別する外部機器１２はカードリーダ本体の外部分のどこか適当な部分に設けても良い。
【００６０】
（実施例４)
図４において、実施例３におけるカードリーダの挿入部３にシャッター手段１４を設けたものである。
【００６１】
図８に示すように、予め指定しておいたカード以外の入力（例えば、磁気カードの場合００１、接触式ＩＣカードの場合０１０、非接触式ＩＣカードの場合０１１等以外の入力）があった場合（ステップ１１）、シャッター手段１４を開かず、適切な入力があった場合だけ、シャッター手段１４を開き（ステップ１２）、後は図７と同じフローとなるものである。本実施例のその他詳細、処理方法については、上記実施例３に準ずる。
【００６２】
（実施例５)
以下のような状況を想定し、上記実施例のカードリーダの構成の組み合わせで更に厳重な制御を行なうカードリーダを形成することができる。
【００６３】
予め指定しておいたカードに適合した入力がされた場合、シャッターが開く。
【００６４】
もし、この入力されたカードの種類が磁気カードであったにも関わらず、利用者が誤って磁気カード以外のカードを挿入してしまうと、磁気読み取り部６ａ、６ｂによりカードを摩耗してしまう恐れがある。
【００６５】
このような状況下において、これらの問題を解決し、さらに制御を厳重におこなうため実施例４に実施例２の構成を用いたカードリーダが考えられる。
【００６６】
大まかにこの動作を説明すると、外部機器１２により適切な入力があり、シャッター手段１４が開き、その入力が磁気カードを示すものであったとする。
【００６７】
この場合、制御手段８は磁気カードと判断しているので、磁気読み取り部６ａ、６ｂは、カードの情報を読み取るため移動されず、そのままである。
【００６８】
この時、このカード１が磁気カード以外のカードであったとしても、磁気検知部１１ａ、１１ｂで磁気が検知できなければ、磁気読み取り部６ａ、６ｂを移動させ、磁気読み取り部６ａ、６ｂがカード１に接触しないようにする。
【００６９】
これにより、誤って入力したカードと違う他のカードをカードリーダに挿入した場合でも、カード１の摩耗を防ぐことができる。
【産業上の利用可能性】
【００７０】
以上のように、本発明にかかるカードリーダは、カード情報読み取り部、カード情報読み取り部移動手段とカード検知部とにより、カードの磁気接触部による摩耗を防ぐことができ、銀行、飲食店等のようなＩＣカードと磁気カードを併用するところでの利用に適していると考えられる。
【図面の簡単な説明】
【００７１】
【図１】本発明の実施例１に示すカードリーダの構成図
【図２】本発明の実施例２に示すカードリーダの構成図
【図３】本発明の実施例３に示すカードリーダの構成図
【図４】本発明の実施例４に示すカードリーダの構成図
【図５】本発明の実施例１に示すカードリーダの動作を示すフローチャート
【図６】本発明の実施例２に示すカードリーダの動作を示すフローチャート
【図７】本発明の実施例３に示すカードリーダの動作を示すフローチャート
【図８】本発明の実施例４に示すカードリーダの動作を示すフローチャート
【図９】従来のカードリーダの構成図
【図１０】従来のカードの平面図
【符号の説明】
【００７２】
２  カードリーダ本体
３  挿入部
４  カード通路
６ａ、６ｂ  磁気読み取り部(カード情報読み取り部)
７ａ、７ｂ  磁気読み取り部移動手段(カード情報読み部移動手段)
９  カード検知手段
１１ａ、１１ｂ  磁気検知部（検知部）
１２  外部機器
１３  カード種類入力部
１４  シャッター手段
【図１】
2005215938.tif 000003
【図２】
2005215938.tif 000004
【図３】
2005215938.tif 000005
【図４】
2005215938.tif 000006
【図５】
2005215938.tif 000007
【図６】
2005215938.tif 000008
【図７】
2005215938.tif 000009
【図８】
2005215938.tif 000010
【図９】
2005215938.tif 000011
【図１０】
2005215938.tif 000012